(57)【要約】      （修正有）【課題】構造が簡単で、使用が便利な新規フォルダを提供する。【解決手段】フォルダ本体と、フォルダ本体に設けられた装幀部材と、を含み、フォルダ本体に、カバー、リッジ部及び裏カバーが順次に設けられ、装幀部材は、リッジ部に、かしめられた底部プレート、底部プレートにヒンジ接続された２つのサイドプレート、サイドプレートに着脱可能に固定された第１クランプ８と第２クランプを含み、第１クランプと第２クランプには、２つの半開位置決めブロック１０がそれぞれ設けられ、クランプの下縁に、スプリング１１が設けられ、サイドプレートの下縁に可動片が設けられ、サイドプレートの上縁にフックが設けられ、第１クランプに、被装幀書類における装幀孔と対応する２本の挿通管１５が設けられ、第２クランプに、挿通管と対応する２本の挿通棒が設けられる。クランプにスプリングを設けることにより、クランプとサイドプレートとのインターロックを実現し、自動化生産に適合で、効率が高く、生産コストを低減させる。【選択図】図７
0003203265.tif 000002
【実用新案登録請求の範囲】
【請求項１】
フォルダ本体と、フォルダ本体に設けられた装幀部材と、を含み、前記フォルダ本体には、カバー、リッジ部及び裏カバーが順次に設けられ、前記装幀部材は、リッジ部にかしめられた底部プレート、前記底部プレートにヒンジ接続された2つのサイドプレート、前記サイドプレートに着脱可能に固定された第1クランプと第2クランプを含み、前記第1クランプと第2クランプに、2つの半開位置決めブロックがそれぞれ設けられ、前記第1クランプの下縁にスプリングが設けられ、前記第2クランプの下縁において、半開位置決めブロックの間にスプリングが設けられることを特徴とする新規フォルダ。
【請求項２】
前記サイドプレートの下縁に可動片が設けられ、前記サイドプレートの上縁にフックが設けられることを特徴とする請求項1に記載の新規フォルダ。
【請求項３】
前記スプリングは、弾性片又は弾性ワイヤであることを特徴とする請求項1に記載の新規フォルダ。
【請求項４】
前記第1クランプに、被装幀書類における装幀孔と対応する2本の挿通管が設けられ、前記第2クランプに、前記挿通管と対応する2本の挿通棒が設けられることを特徴とする請求項1に記載の新規フォルダ。
【請求項５】
前記挿通棒の外径は、前記挿通管の内径よりも小さいことを特徴とする請求項4に記載の新規フォルダ。
【請求項６】
前記装幀部材は、金属材料であることを特徴とする請求項1に記載の新規フォルダ。
【考案の詳細な説明】
【技術分野】
【０００１】
本実用新案は、物品を収納するためのフォルダに関し、特に、スプリングの弾性により他の部材をインターロックさせる新規フォルダに関する。
【背景技術】
【０００２】
従来の管貫通型フォルダは、その構造が一般的にスパイラルスプリング、又は強磁性希土類磁石により、サイドプレートとクランプとのインターロックを実現し、スパイラルスプリングによりサイドプレートとクランプとのインターロックを実現する方法は、使用上の性能要求を満たすことができるが、製造過程にはスパイラルスプリングを取り付ける場合、自動化実装の実現が難しく、労働集約生産のみに依存し、人力コストが過度に消耗され、生産効率が低い。
【０００３】
強磁性希土類磁石によりサイドプレートとクランプとのインターロックを実現する方法は、使用上の性能を満たすことができるが、やはり以下の欠点を有する。1、国家の希土類資源に対しての政策の影響で、強磁性希土類磁石の価格が上昇し、強磁性磁石の使用コストが増加している。2、強磁性磁石は、使用者の身に着ける時計等に大きな影響を与えるので、使用者が使用時、時計を外しなければならないので、使用が不便である。
このため、現在、国内の人力コストが高騰し、且つ年々増加しているとともに、希土類資源の使用コストも増加しつつある現状において、自動化生産を実現し、効率を向上せ、コストを低下させ、且つ使用が便利な新規フォルダを開発する必要がある。
【考案の概要】
【考案が解決しようとする課題】
【０００４】
これに鑑みて、本実用新案の解決しようとする技術課題は、構造が簡単で、使用が便利で、自動化生産を実現でき、生産コストが低く、クランプの下縁にスプリングを設けることによりサイドプレートとクランプとのインターロックを実現する新規フォルダを提供することである。
【課題を解決するための手段】
【０００５】
上記目的を達成するために、本実用新案は以下の技術的解決手段を採用している。新規フォルダであって、フォルダ本体と、フォルダ本体に設けられた装幀部材と、を含み、前記フォルダ本体には、カバー、リッジ部及び裏カバーが順次に設けられ、前記装幀部材は、リッジ部にかしめられた底部プレート、前記底部プレートにヒンジ接続された2つのサイドプレート、前記サイドプレートに着脱可能に固定された第1クランプと第2クランプを含み、前記第1クランプと第2クランプに、2つの半開位置決めブロックがそれぞれ設けられ、前記第1クランプの下縁にスプリングが設けられ、前記第2クランプの下縁において、半開位置決めブロックの間にスプリングが設けられる。
【０００６】
本実用新案の更なる改良は、前記サイドプレートの下縁に可動片が設けられ、前記サイドプレートの上縁にフックが設けられることにある。サイドプレートにおけるフックは、クランプに引っ掛けるためのものである。
【０００７】
本実用新案の更なる改良は、前記スプリングは、弾性片又は弾性ワイヤであってもよいし、他の弾性部材であってもよいことにある。
【０００８】
本実用新案の更なる改良は、前記第1クランプに被装幀書類における装幀孔と対応する2本の挿通管が設けられ、前記第2クランプに前記挿通管と対応する2本の挿通棒が設けられることにある。
【０００９】
本実用新案の更なる改良は、前記挿通棒の外径は、前記挿通管の内径よりも小さいことにある。これにより、書類を装幀部材に固定し易い。
本実用新案の更なる改良は、前記装幀部材は金属材料であることにある。
【００１０】
使用時、第1クランプにおける半開位置決めブロックを、底部プレートとサイドプレートとをヒンジ接続するための軸に係合し、第1クランプを押すことによって、第1クランプの下縁のスプリングが、サイドプレートの可動片と接触し、当該可動片を底部プレートとサイドプレートとをヒンジ接続するための軸周りに回転させ、サイドプレートのフックを、第1クランプに引っ掛けるように連動するとともに、スプリングの弾性により、サイドプレートと第1クランプをインターロックさせる。パンチャーでパンチングされた紙質書類は、第1クランプにおける2本の挿通管が紙質書類の辺縁の孔に挿し込まれ、そして、第2クランプの2本の挿通棒が挿通管に挿通され、第2クランプを押すことによって、第2クランプの下縁のスプリングが、サイドプレートの可動片と接触し、当該可動片を軸周りに回転させ、サイドプレートのフックを、第1クランプに引っ掛けるように連動するとともに、スプリングの弾性によりサイドプレートと第2クランプとをインターロックさせる。また、被装幀書類を取り出す場合、第1クランプ又は第2クランプにおけるフック部位を外へ移動させ、スプリングの弾性により第1クランプ又は第2クランプを上へ弾ませ、サイドプレートと接続された半開位置決めブロックを軸から離脱させ、装幀部材を開放状態にし、挿通管又は挿通棒を抜き出すだけで、書類を取り出すことができる。
【００１１】
上記の技術的解決手段により分かるように、本実用新案の有益な効果は以下の通りである。
1、スプリングをクランプに取り付けることによって、生産時、自動化生産に適合で、効率を向上させ、生産コストを低減させる。
2、装幀部材は、構造が簡単で、使用時、クランプにスプリングを設けることにより、クランプとサイドプレートとのインターロックを実現し、使用が便利である。
【図面の簡単な説明】
【００１２】
【図１】図1は本実用新案の外部構造の模式図である。
【図２】図2は本実用新案の開放状態の模式図である。
【図３】図3は本実用新案のサイドプレート構造の模式図である。
【図４】図4は本実用新案のサイドプレートの図3におけるAA方向の拡大構造模式図である。
【図５】図5は本実用新案の底部プレートの構造模式図である。
【図６】図6は本実用新案の図5におけるBB方向の拡大構造模式図である。
【図７】図7は本実用新案の実施例の第1クランプの構造模式図である。
【図８】図8は本実用新案の実施例の第1クランプのCC方向の拡大構造模式図である。
【図９】図9は本実用新案の実施例の第2クランプの構造模式図である。
【図１０】図10は本実用新案の実施例の第2クランプのDD方向の拡大構造模式図である。
【図１１】図11は本実用新案の実施例の装幀部材の使用状態の部分模式図である。
【考案を実施するための形態】
【００１３】
当業者が本実用新案の特徴及び技術内容を更に理解するために、以下の本実用新案に関する詳細な説明と図面を参照する。
図1、2、7、8、9、10に示すように、新規フォルダは、フォルダ本体（1）と、フォルダ本体（1）に設けられた装幀部材（2）とを含み、前記フォルダ本体（1）には、カバー（3）、リッジ部（4）及び裏カバー（5）が順次に設けられ、前記装幀部材（2）は、リッジ部（4）にかしめられた底部プレート（6）、前記底部プレートにヒンジ接続された2つのサイドプレート（7）、前記サイドプレート（7）に着脱可能に固定された第1クランプ（8）と第2クランプ（9）を含み、前記第1クランプ（8）と第2クランプ（9）には、2つの半開位置決めブロック（10）がそれぞれ設けられ、前記第1クランプ（8）の下縁にスプリング（11）が設けられ、前記第2クランプ（9）の下縁において、半開位置決めブロックの間にスプリング（11）が設けられる。
【００１４】
図3、4に示すように、サイドプレート（7）の下縁に、可動片（12）が設けられ、前記サイドプレート（7）の上縁に、フック（13）が設けられる。
【００１５】
図5に示すように、装幀部材（2）の底部プレート（6）である。
図6に示すように、装幀部材の底部プレートのBB方向の模式図であり、上下折曲部には、底部プレート（6）とサイドプレート（7）をヒンジ接続する軸を固定するための孔（14）が設けられる。
【００１６】
図7、8、9、10に示すように、前記第1クランプ（8）に、被装幀書類における装幀孔と対応する2本の挿通管（15）が設けられ、前記第2クランプに、前記挿通管と対応する2本の挿通棒（16）が設けられる。
図8、10に示すように、挿通棒（16）の外径は前記挿通管（15）の内径よりも小さい。これにより、書類を装幀部材に固定しやすい。
【００１７】
図11に示すように、使用時、第1クランプ（8）における半開位置決めブロック（10）を底部プレート（6）とサイドプレート（7）をヒンジ接続するための軸（17）に係合し、第1クランプ（8）を押すことによって、第1クランプ（8）の下縁のスプリング（11）が、サイドプレートの可動片（12）と接触し、当該可動片（12）を底部プレート（6）とサイドプレート（7）をヒンジ接続するための軸（17）周りに回転させ、サイドプレートのフック（13）を、第1クランプ（8）に引っ掛けるように連動するとともに、スプリング（11）の弾性により、サイドプレート（7）と第1クランプ（8）とをインターロックさせる。パンチャーでパンチングされた紙質書類は、第1クランプ（8）における2本の挿通管（15）が紙質書類辺縁の孔に挿し込まれ、そして、第2クランプ（9）の2本の挿通棒（16）が挿通管（15）に挿通され、第2クランプ（9）を押すことによって、第2クランプ（9）の下縁のスプリング（11）が、サイドプレートの可動片（12）と接触し、当該可動片（12）を軸周りに回転させ、サイドプレートのフック（13）を、第1クランプに引っ掛けるように連動するとともに、スプリング（11）の弾性によりサイドプレート（7）と第2クランプ（9）とをインターロックさせる。また、装幀された的書類を取り出す場合、第1クランプ（8）又は第2クランプ（9）におけるフック（13）部位を外へ移動させ、スプリング（11）の弾性により第1クランプ（8）又は第2クランプ（9）を上へ弾ませ、サイドプレート（7）と接続された半開位置決めブロック（10）を軸（17）から離脱させ、装幀部材（2）を開放状態にし、挿通管（15）又は挿通棒（16）を抜き出すだけで、書類を取り出すことができる。
【００１８】
以上に記載されたものは、本実用新案の好ましい実施例に過ぎず、本実用新案の特許範囲を限定するためのものではないので、本実用新案の明細書及び図面に基づいた同等の構造変化は、いずれも同様に本実用新案の範囲に含まれるものである。
【符号の説明】
【００１９】
１        フォルダ本体
２        装幀部材
３        カバー
４        リッジ部
５        裏カバー
６        底部プレート
７        サイドプレート
８        第１クランプ
９        第２クランプ
１０      半開位置決めブロック
１１      スプリング
１２      可動片
１３      フック
１４      孔
１５      挿通管
１６      挿通棒
１７      軸
【図１】
0003203265.tif 000003
【図２】
0003203265.tif 000004
【図３】
0003203265.tif 000005
【図４】
0003203265.tif 000006
【図５】
0003203265.tif 000007
【図６】
0003203265.tif 000008
【図７】
0003203265.tif 000009
【図８】
0003203265.tif 000010
【図９】
0003203265.tif 000011
【図１０】
0003203265.tif 000012
【図１１】
0003203265.tif 000013